(57)【要約】【目的】１枚の非球面レンズよりなるレーザアレイ結像レンズを用い、列状に半導体レーザ素子を配列してなる半導体レーザアレイ光源からの各光束を感光面上に結像せしめ、被走査面上での光ドット形成（光走査）を行う画像形成装置を得る。【構成】このレーザプリンタ装置は、多数の半導体レーザ素子を直線状に配列してなる半導体レーザアレイ光源１と、これら各レーザ素子からの各光束を略一点で互いに交差させた後、感光面４上に直線的に結像せしめるレーザアレイ結像レンズ２とを備えている。結像レンズ２は、少なくとも一方の面に非球面を有する１枚のレンズとされており、さらに少なくとも一方の面にアナモフィックな非球面を有し少なくとも一方の面に回折光学面を有していることが好ましい。各レーザ素子の同時発光を所定のタイミングで行い、感光面４をドット列方向と略直交する矢印Ａ方向に所定速度で副走査し、感光面４上に画像を形成する。【選択図】          図１
2004302063.tif 000002
【特許請求の範囲】
【請求項１】
複数の発光素子が列状に配列されてなる半導体レーザアレイ光源の光束を、結像面にドット列状に結像させるレーザアレイ結像レンズにおいて、前記各発光素子からの各光束の中央近傍の光線が互いに交差するように作用する、少なくとも一方の面に非球面を有する１枚のレンズで構成されていることを特徴とするレーザアレイ結像レンズ。
【請求項２】
少なくとも一方の面にアナモフィックな非球面を有していることを特徴とする請求項１記載のレーザアレイ結像レンズ。
【請求項３】
少なくとも一方の面に回折光学面を有していることを特徴とする請求項１記載のレーザアレイ結像レンズ。
【請求項４】
前記各発光素子からの各光束の中央近傍の光線が互いに交差する位置の近傍に、開口絞りが配されていることを特徴とする請求項１〜３のうちいずれか１項記載のレーザアレイ結像レンズ。
【請求項５】
光源側でテレセントリックとされていることを特徴とする請求項１〜４のうちいずれか１項記載のレーザアレイ結像レンズ。
【請求項６】
複数の発光素子が列状に配列されてなる半導体レーザアレイ光源と、請求項１〜５のうちいずれか１項記載のレーザアレイ結像レンズと、前記半導体レーザアレイ光源の個々の発光素子を所定の信号に基づき独立に変調する手段と、前記レーザアレイ結像レンズの結像位置近傍に配された被走査面を該結像レンズに対し、前記半導体レーザアレイ光源からの各光束により形成される前記被走査面上のドット列方向と略直交する方向に相対的に移動させる手段とを備えたことを特徴とする画像形成装置。
【発明の詳細な説明】
【０００１】
【発明の属する技術分野】
本発明は、複数の発光素子を列状に配列してなる、いわゆる半導体レーザアレイを光源とし、この光源からの光を被走査面上に導いて、この被走査面上に再生画像を形成する画像形成装置、およびこの装置に使われる結像レンズに関するものである。
【０００２】
【従来の技術】
レーザプリンタ装置等の画像形成装置では、その光走査手段としては周知の回転多面鏡（ポリゴンミラー）が一般に用いられている。この回転多面鏡はガルバノメータミラーに比べて走査の高速性、あるいはシェーディングの良好性等の点で優れているものの、各ミラー面の面精度や面倒れ量のバラツキに伴い、走査線の微妙な曲がり、走査線ピッチのバラツキ、さらには走査線の長さのバラツキ等が問題となる。また、このような回転多面鏡を用いた走査装置では、各走査線の始点を一致させるために走査のタイミングをとるセンサが必要となる。さらに、このような回転多面鏡を用いた走査装置では、その回転駆動部の回転動作に起因して振動や騒音が生じる。
【０００３】
このように、回転多面鏡を光走査手段とする場合には、上述した如き種々の問題が生じる。また、回転多面鏡の回転速度の高速化には限界があり、更なる画像形成速度の高速化を図るためにも、回転多面鏡を用いずにレーザ光を走査する手法の開発が検討されている。また、このような手法の開発とともに、この手法を用いたときにレーザ光源からの光束を良好に被走査面上に導き得る、この手法に適した結像レンズを開発することも必要となる。
【０００４】
特許文献１および特許文献２には、複数の発光素子を列状に配列してなる、いわゆる半導体レーザアレイを光源とした画像形成装置、およびこの光源からの光束を良好に被走査面上に導き得る結像レンズが記載されている。
【０００５】
【特許文献１】
特開平１０−１６２９７号公報
【特許文献２】
特開平１２−２４９９１５号公報
【０００６】
【発明が解決しようとする課題】
しかしながら、特許文献１記載の結像レンズは、球面レンズのみの構成で７枚構成のものである。また、特許文献２記載の結像レンズは、２枚のアナモフィック非球面レンズによる構成とされている。これらの従来例よりも軽量で、簡易な構成の結像レンズが要望されている。
【０００７】
本発明はこのような事情に鑑みなされたもので、回転多面鏡を用いることなく被走査面上にレーザ光を走査するレンズとして、半導体レーザアレイ光源からの光束を良好に被走査面上に導き得る、より簡易な構成のレーザアレイ結像レンズおよびこれを用いた画像表示装置を提供することを目的とするものである。
【０００８】
【課題を解決するための手段】
本発明のレーザアレイ結像レンズは、複数の発光素子が列状に配列されてなる半導体レーザアレイ光源の光束を、結像面にドット列状に結像させるレーザアレイ結像レンズにおいて、前記各発光素子からの各光束の中央近傍の光線が互いに交差するように作用する、少なくとも一方の面に非球面を有する１枚のレンズで構成されていることを特徴とするものである。
【０００９】
また、このレーザアレイ結像レンズは、少なくとも一方の面にアナモフィックな非球面を有していることが好ましい。また、このレーザアレイ結像レンズは、少なくとも一方の面に回折光学面を有していることが好ましい。
【００１０】
また、前記各発光素子からの各光束の中央近傍の光線が互いに交差する位置の近傍に、開口絞りが配されていることが好ましい。
【００１１】
また、このレーザアレイ結像レンズは、光源側でテレセントリックとされていることが好ましい。
【００１２】
本発明の画像形成装置は、複数の発光素子が列状に配列されてなる半導体レーザアレイ光源と、上記いずれかのレーザアレイ結像レンズと、前記半導体レーザアレイ光源の個々の発光素子を所定の信号に基づき独立に変調する手段と、前記レーザアレイ結像レンズの結像位置近傍に配された被走査面を該結像レンズに対し、前記半導体レーザアレイ光源からの各光束により形成される前記被走査面上のドット列方向と略直交する方向に相対的に移動させる手段とを備えたことを特徴とするものである。
【００１３】
【発明の実施の形態】
以下、図面を用いて、本発明の実施形態について説明する。図１は本発明のレーザアレイ結像レンズを用いたレーザプリンタ装置を示す概念図である。このレーザプリンタ装置は多数の発光素子を直線状に配列してなる半導体レーザアレイ光源１と、これら各発光素子からの光束を各々、被走査面としての感光面４上に、しかも直線的に結像せしめるレーザアレイ結像レンズ２とを備えている。図１（ａ）は半導体レーザアレイ光源１の装置光軸を含む発光素子配列方向の断面図であり、図１（ｂ）は装置光軸を含み図１（ａ）の断面に直交する方向の断面図である。
【００１４】
上記半導体レーザアレイ光源１は、発光素子として、２０００個以上の微小な半導体レーザ素子（以下、レーザ素子と称する）を直線上に配列してなる。個々のレーザ素子は所定の信号に基づき独立に変調し得るようになっている。
【００１５】
光源１が、レーザ素子を２０００個以上配列しているのは、最低Ａ６号（葉書大サイズ）用紙の短辺の一走査線領域の全体を一時に照射することを考慮したものである。すなわち、Ａ６号用紙の短辺は１０５ｍｍの長さとされているので、１インチ（２５．４ｍｍ）当たりを６００ドットで印字すれば、配列すべきレーザ素子の個数は６００×１０５／２５．４≒２４８０（個）となる。ただし、この短辺方向の両端部分に係る数ｍｍの範囲については通常は印字が不要となるので、結局、本実施形態の如く２０００個以上のレーザ素子を直線的に配列すれば、Ａ６号用紙の短辺方向の一走査線に相当する部分の印字を一時に行うことができる。
【００１６】
このように直線状に配列された多数のレーザ素子からの各光束は、結像レンズ２によって感光面４上の所定の直線上の所定位置に結像される。光源１における各レーザ素子の１回の同時発光により、直線状のドット列（一走査線に相当する）を感光面４上に形成させることが可能となる。また、感光面４をドット列方向と略直交する矢印Ａ方向に所定速度で副走査しながら、光源１からの発光を所定のタイミングで行うことにより、感光面４上に多数の走査線に相当するドット列を形成することができ、これにより１枚の再生画像を感光面４上に形成することができる。
【００１７】
本実施形態のものでは、レーザ素子の各々から独立に変調された光ビームが出力され一走査線に相当するドット列を形成するので、上述した回転多面鏡を光走査手段とする場合の如き問題は生じない。すなわち、回転多面鏡等の機械的光走査手段により光走査を行っていないので、ミラーの面倒れに伴う種々の問題、例えば走査線間隔のバラツキの問題は発生しない。もちろん、従来の回転多面鏡を用いた場合に必要であった、各走査線開始のタイミングを得るためのセンサは不要である。また、回転多面鏡の如く高速で可動する部分が存在しないので、装置全体の振動や騒音をより低いレベルに抑えることが可能であり、装置の長寿命化を図ることが可能である。さらに、直線上に配された各レーザ素子を同時に発光せしめることが可能であり、被走査面上での一ライン全体のプリントを一時に行うことができるので、プリント速度の高速化を図ることができる。
【００１８】
ここで、光源１の発光素子として半導体レーザ素子を用いているのは、半導体レーザは光量や変調の速度追従性の点で格段に有利であり、光走査の高速化が図れるからである。それ以外の発光手段として、例えば、Ｈｅ−Ｎｅレーザ等のガスレーザを用い、分割された多数の光束を所定の変調器で同時に変調するトータル・インターナル・レフレクションシステムも考えられているが、この場合には光学系が極めて複雑となり、また、一本のレーザ管からの光束を例えば数千の光束に分割する必要上、光走査の高速化を図る上で必要な光量を確保するためには高出力のレーザ管が必要となってしまう。また、この系では、ガスレーザ管のサイズが大きく、レーザ管から光変調器までの距離も長くなってしまい、装置のコンパクト化が困難となりコストも割高となってしまう。
【００１９】
また、結像レンズ２は、光源１の各レーザ素子からの各光束の中央近傍の光線が互いに交差するように作用するもので、例えば光源１の点ａ、点ｂ、点ｃの各レーザ素子から出力された光束は、各々感光面４上の点ａ′、点ｂ′、点ｃ′に収束せしめられる。すなわち、光源１の各レーザ素子の点の並びと、それらの各点に対応する感光面４上の各点の並びは左右逆の関係となる。なお、上記光線交差位置は、結像レンズ２の光軸上の略一点とすることが好ましい。
【００２０】
この結像レンズ２は、少なくとも一方の面に非球面を有する１枚のレンズとされている。この非球面の形状は、下記に示す式により表される。
【００２１】
【数１】
2004302063.tif 000003
【００２２】
非球面レンズを用いることにより、１枚という簡易な構成であっても良好な結像性能を得ることができる。また、１枚構成のレーザアレイ結像レンズ２によれば、ローコスト化、軽量化に有利であり、高度な組立精度が不要となるので装置の組立が容易となる。
【００２３】
また、この結像レンズ２は、少なくとも一方の面にアナモフィックな非球面を有していることが好ましい。このアナモフィック面は、光源１に配された複数のレーザ素子の配列方向、ならびに、この配列方向および結像レンズ２の光軸に直交する方向において、屈折力が異なるものとすることが好ましい。この結像レンズ２のアナモフィックな非球面の形状は、下記に示す式により表される。
【００２４】
【数２】
2004302063.tif 000004
【００２５】
アナモフィック面とすることにより、レーザ素子の配列方向とその直交方向とで、各レーザ素子から出射される光束に非点隔差が有る場合に上記２方向で別々に焦点を合わせることができ、また、上記２方向で、像面湾曲を別々に補正することが容易になる。
【００２６】
さらに、結像レンズ２の両方の面をアナモフィック面とすることにより、感光面４上に結像される光点形状を、上記２方向で、結像倍率を互いに異ならせて、所望の形状に調整することができる。
【００２７】
また、一般に半導体レーザにおいては、その方向によって光束の拡がり角に差異が生じることも多く、そのような場合には、結像レンズ２の形状を光軸に対して回転対称な形状とすると、感光面上のビームスポット形状が扁平となってしまう。両方の面をアナモフィック面とすることにより、各レーザ素子から出射される光束の拡がり角が上記２方向で異なっている場合にも、感光面４上に結像される光点形状を上記２方向で別々に設定し、所望の形状となるように調整することができる。
【００２８】
また、この結像レンズ２は、少なくとも一方の面に回折光学面（ＤＯＥ）を有していることが好ましい。回折光学面の形状は、下記に示す式により表される。この回折光学面により、波長をλ、回折光学面位相差関数をφとして、１次回折光にλ×φ／２πの光路差が付加される。
【００２９】
【数３】
2004302063.tif 000005
【００３０】
回折光学面を使用することにより、レーザ素子同士の波長の違いにより生ずる結像光点間隔の不一致による画像のむらを、小さく抑えることができる。また温度変動などにより、各レーザ素子間に、または１つのレーザ素子において、波長の変動が生じても、それによる感光面４上の結像光点の倍率方向および／または光軸方向での位置ずれを、防止することができる。
【００３１】
また、この結像レンズ２は、上述のとおり各レーザ素子からの各光束の中央近傍の光線を互いに交差させるように作用するが、この交差位置の近傍には、図示のとおり、開口絞り３が配されていることが好ましい。この開口絞り３は、上述した感光面４上の結像光点の形状を容易に変更し得るように、レーザ素子配列方向とその直交する方向とで開口幅を独立に変更可能としておくことが望ましい。また、開口絞り３の開口形状は、円形、楕円、矩形など適宜その形状寸法を決定することができる。
【００３２】
また、この結像レンズ２は、光源側でテレセントリックとされていることが望ましい。レーザ素子から射出される光束はある拡がりをもっており、光束中心部の光強度がもっとも大きく、角度が大きくなるに従って光強度が小さくなっていく。すなわち、各レーザ素子からの光束中心が互いに平行になっている場合、各レーザ素子からの光束中心が、一点（開口絞りを配した場合その開口中心となる位置）で交差し感光面４に向うことが、光の利用効率上、理想的である。結像レンズ２を光源側でテレセントリックとし、各レーザ素子からの光束中心部が開口中央部（開口絞りを配さない場合もそれに準ずる部分を示す。以下の説明においても同様である。）を通過するように構成することが、光源１の光量の有効利用を可能とする。
【００３３】
実用上好ましい程度としては、光源１と結像レンズ２との間の空間において、各レーザ素子から射出される光束中の、開口絞り中心を通る光線（以下、主光線と称する）と、レーザ素子からの射出光束中央の光線（以下、中央光線と称する）とのなす角が、下記条件式（４）および（５）の範囲内であることが好ましい。
αｙ＜θｙ／２  …  （４）
αｘ＜θｘ／２  …  （５）
ただし、
αｙ：レーザ素子配列方向断面において、主光線と中央光線とのなす角
αｘ：レーザ素子配列方向と直交する方向断面において、主光線と中央光線とのなす角
θｙ：レーザ素子配列方向断面において、光強度が光束中心の５０％となる角度θｘ：レーザ素子配列方向と直交する方向断面において、光強度が光束中心の５０％となる角度
【００３４】
なお、上記θｙおよびθｘの範囲を図２において模式的に示す。図２は、レーザ素子１１から出射される光束について示したものであり、方向Ｙがレーザ素子配列方向となっている。
【００３５】
さらに、この結像レンズ２は、下記の条件式（６）を満足することが好ましい。
０．５＜Ｌ／｛Ｄ２・（１−１／Ｍ）｝＜２．０  …  （６）
ここで、
Ｌ：半導体レーザアレイ光源１から結像レンズ２の光源側の面までの距離
Ｄ２：結像レンズ２の結像側の面から、各半導体レーザ素子からの光束中心が交差する位置までの光軸方向距離
Ｍ：結像倍率
【００３６】
なお、上記Ｄ２に関し、「各半導体レーザ素子からの光束中心が交差する位置」は、開口絞り３が配されている場合は開口絞り位置と同等となる。この条件式（６）を満足することにより、結像レンズ２は光源側のテレセントリック性を犠牲にすることなく、より良好に収差補正し得るものとなる。この下限値を越えると、主点の位置を結像レンズ２よりも外側の開口絞り側へ大きく動かさなくてはならず、像面湾曲、コマ収差などの諸収差を良好に補正することが困難となる。また、この上限値を越えると、主点の位置を結像レンズ２よりも外側の光源側へ大きく動かさなくてはならず、やはり像面湾曲、コマ収差などの諸収差を良好に補正することが困難となる。以下に示す実施例においては、この条件式（６）に対する値は０．８＜Ｌ／｛Ｄ２・（１−１／Ｍ）｝＜１．７の範囲内にあり望ましい設計バランスを達成しているが、結像倍率などの設計条件によりこの値は上記条件式（６）の範囲内で変動しても差し支えない。
【００３７】
また、この結像レンズ２のレンズ材料としては、光学ガラスおよびプラスチックのいずれを用いることも可能である。プラスチックを使用した場合には、ローコスト化が可能となるほか、レンズを成形により製作し得るので、半導体レーザ素子が列状に配列された半導体レーザアレイ光源１からの出射光束を入射させるのに好適な、レーザ素子配列方向に長い短冊状の形状にすることや、装置への取り付けに関わる形状を一体に製作することも容易となる。
【００３８】
また、ガラス材料による球面レンズの表面に薄いプラスチック層を設けて非球面化した、いわゆる複合非球面レンズも、本実施形態において１枚の非球面レンズとして同等に用いることができる。
【００３９】
また、本発明の画像形成装置としては上記実施形態のものに限られるものではなく、種々の態様の変更、あるいは機能の付加が可能である。例えば図３に示すように、装置の寸法制約などに応じて、光路途中にミラー５を配置し光路を折り曲げた構成としても良い。
【００４０】
また、図４に示すように、複数の半導体レーザ素子を列状に配列してなる半導体レーザアレイ光源１は、１つのレーザ素子列を備えたものに限られず、印字の高速化、印字ドットの高密度化などのため、複数のレーザ素子列を備えたものとすることができる。例えば図４は、複数のレーザ素子１１が列状に配列されたレーザ素子列を、３列とした場合の半導体レーザアレイ光源１の例である。各レーザ素子列のレーザ素子１１は、レーザ素子配列方向Ｙにレーザ素子ピッチの１／３ずつずれている。複数のレーザ素子列を備えた半導体レーザアレイ光源１では、このようにレーザ素子ピッチをずらし、レーザ素子間隔を略均等にすることが好ましい。
【００４１】
また、半導体レーザアレイ光源１の各半導体レーザ素子を、結像レンズ２に向かって凹形状をなす所定の円弧状に配列することも可能である。このようにレーザ素子を配列することにより、半導体レーザアレイ光源１からの指向性の強い各光束を、前述の実施形態の如きテレセントリックな系とせずとも有効に結像レンズ２の瞳に導くことが可能である。また、半導体レーザアレイ光源１の各半導体レーザ素子を、上述のような凹形状の円弧状に配列しなくても、配列の両端部に近いほど発光方向の結像レンズ２の光軸とのなす角が大きくなるようにすることで同様の効果が得られる。
【００４２】
さらに、半導体レーザアレイ光源１の半導体レーザ素子の数としては上記実施形態のものに限られず、用途に応じてその配列するレーザ素子の数を適宜変更することが可能である。
【００４３】
また、例えば、感光面上で中央部分よりも周辺部分の光量の利用効率が低い場合には、該周辺部分に導かれる半導体レーザアレイ光源１のレーザ素子の出力を、該中央部分に導かれる半導体レーザアレイ光源１のレーザ素子の出力に対して大とすることで、感光面上の光量の均一化を図ることが可能である。
【００４４】
また、本発明の画像形成装置は、実施に際し、半導体レーザアレイ光源１と感光面４との間に光源保護や防塵用のガラスまたはプラスチック製等の平行平面板やフィルタを配することができる。また、各レーザ素子からの光束の拡がり角や非点隔差を適宜整えるために、光源近傍に微小なレンズを配することができる。
【００４５】
なお、本発明の画像形成装置としてはレーザプリンタ装置に限られるものではない。例えば、被走査面上に画像を置き、半導体レーザアレイ光源１の各レーザ素子を順次もしくは同時に点滅させて照射し、この光源１からの各光束により形成される該被走査面上のドット列方向と略直交する方向に画像を移動させ、その画像の反射光を受光する手段を設けることにより画像情報を取り込む画像読取装置とすることもできる。また、上記実施形態のものにおいては、被走査面として感光面を用いているが、この面上に所定のプリントができれば、もちろん感光面に限られるものではない。
【００４６】
【実施例】
以下、本発明に係るレーザアレイ結像レンズの実施例について具体的数値をあげて説明する。
＜実施例１＞
本実施例に係るレーザアレイ結像レンズの構成を図５に模式的に示す。このレーザアレイ結像レンズ２は、光源側の面が、非球面かつ、レーザ素子配列方向と、その方向に直交する方向の屈折力が異なるアナモフィック面とされ、結像面側の面が非球面とされた１枚のレンズからなる。また、この結像レンズ２の作用により各レーザ素子からの各光束の中央近傍の光線は結像レンズ２の光軸上の略一点で互いに交差し、この位置に開口絞り３が配置されている。また、この結像レンズ２は、光源側でテレセントリックとされている。
【００４７】
この実施例における各レンズ面の曲率半径Ｒ（ｍｍ）、レンズの中心厚および開口絞りまでの空気間隔Ｄ（ｍｍ）ならびにレンズの、波長７８０ｎｍの光線に対する屈折率Ｎおよびｄ線に対するアッベ数νを下記表１の上段に示す。この表１および以下の表２において、各記号Ｒ、Ｄ、Ｎ、νに対応させた数字は光源側から順次増加するようになっている。
【００４８】
また表１の中段に、この実施例に係る結像レンズ２の、全体の焦点距離ｆ、ＦナンバＦＮＯ、半導体レーザアレイ光源から結像レンズの光源側の面までの距離Ｌ、結像レンズのレンズ厚Ｄ、結像レンズの像側の面から結像面（感光面）までの距離Ｌ′、結像倍率Ｍ、半導体レーザアレイ光源から結像面（感光面）までの距離ＴＣＬ、および、上記条件式（６）に対応する値を示す。
【００４９】
また表１の下段に、この実施例に係る結像レンズ２の、アナモフィック非球面のアナモフィック非球面係数および非球面の非球面係数を示す。
【００５０】
【表１】
2004302063.tif 000006
【００５１】
また、この実施例における各収差図（球面収差、非点収差、ディストーション、倍率色収差および横収差の収差図）を図６に示す。これらの収差図においてｙ′は高さを示す。また、非点収差図には、サジタル像面およびタンジェンシャル像面に対する収差が示されている。なお、各収差図は波長７８０ｎｍの光線に対する収差を示しているが、球面収差図および倍率色収差図においては以下の実施例２との比較のために、波長７７０ｎｍおよび波長７９０ｎｍの光線に関する各収差を併せて記載している。図６から明らかなように、この実施例によれば、波長７８０ｎｍの光線に対し各収差を全て良好なものとすることができる。
【００５２】
＜実施例２＞
本実施例に係るレーザアレイ結像レンズは実施例１のものと略同様の構成とされており、図５はその構成を模式的に示すものである。ただし、本実施例に係るレーザアレイ結像レンズ２は、光源側の面が、非球面かつ、レーザ素子配列方向と、その方向に直交する方向の屈折力が異なるアナモフィック面とされ、結像面側の面が回折光学面を付加した非球面とされた１枚のレンズからなる。実施例１のものと同様に、この結像レンズ２に関しても開口絞り３が配置され、また、この結像レンズ２も、光源側でテレセントリックとされている。
【００５３】
この実施例における各レンズ面の曲率半径Ｒ（ｍｍ）、レンズの中心厚および開口絞りまでの空気間隔Ｄ（ｍｍ）ならびにレンズの、波長７８０ｎｍの光線に対する屈折率Ｎおよびｄ線に対するアッベ数νを下記表２の上段に示す。
【００５４】
また表２の中段に、この実施例に係る結像レンズ２の、全体の焦点距離ｆ、ＦナンバＦＮＯ、半導体レーザアレイ光源から結像レンズの光源側の面までの距離Ｌ、結像レンズのレンズ厚Ｄ、結像レンズの像側の面から結像面（感光面）までの距離Ｌ′、結像倍率Ｍ、半導体レーザアレイ光源から結像面（感光面）までの距離ＴＣＬ、および、上記条件式（６）に対応する値を示す。
【００５５】
また表２の下段に、この実施例に係る結像レンズ２の、アナモフィック非球面のアナモフィック非球面係数ならびに回折光学面を付加された非球面の非球面係数および回折光学面位相差関数の２次の係数Ｃ０１を示す。
【００５６】
【表２】
2004302063.tif 000007
【００５７】
また、この実施例における各収差図（球面収差、非点収差、ディストーション、倍率色収差および横収差の収差図）を図７に示す。これらの収差図においてｙ′は高さを示す。球面収差図においては波長７７０ｎｍ、７８０ｎｍ、７９０ｎｍの光線に対する収差が示されている。非点収差図には、サジタル像面およびタンジェンシャル像面に対する収差が示されている。倍率色収差図は、波長７８０ｎｍの光線に対する波長７７０ｎｍおよび波長７９０ｎｍの収差が示されている。
【００５８】
図７から明らかなように、この実施例によれば、波長７８０ｎｍの光線に対し各収差を全て良好なものとすることができる。また、図７および上記実施例１の各収差図を示す図６との比較から明らかなように、この実施例によれば回折光学面の作用により、波長７７０ｎｍおよび波長７９０ｎｍの光線に対しても軸上色収差、倍率色収差とも小さく補正されている。本実施例によれば、各レーザ素子間に、または１つのレーザ素子において、波長の変動が生じても、良好な結像性能を維持することができる。
【００５９】
【発明の効果】
以上に説明したように、本発明のレーザアレイ結像レンズによれば、１枚の非球面レンズという簡易な構成でありながら、回転多面鏡を用いることなく被走査面上にレーザ光を走査するレンズとして、半導体レーザアレイ光源からの光束を良好に被走査面上に導き得るレーザアレイ結像レンズを得ることができる。また、本発明の画像表示装置は、上記レーザアレイ結像レンズを用いることにより同様の効果を得ることができる。
【図面の簡単な説明】
【図１】本発明の実施形態に係るレーザプリンタ装置を示す断面図
【図２】レーザ素子から出射される光束について説明する図
【図３】本発明の別の実施形態に係るレーザプリンタ装置を示す断面図
【図４】複数のレーザ素子列を備えた半導体レーザアレイ光源を説明する図
【図５】実施例１および２に係るレーザアレイ結像レンズを示すレンズ構成図
【図６】実施例１に係るレーザアレイ結像レンズの各収差図
【図７】実施例２に係るレーザアレイ結像レンズの各収差図
【符号の説明】
１    半導体レーザアレイ光源
２    レーザアレイ結像レンズ
３    開口絞り
４    感光面
５    ミラー
１１    半導体レーザ素子
Ｒ１〜Ｒ２    レンズ面
Ｄ１〜Ｄ２    レンズの厚み（面間隔）
【図１】
2004302063.tif 000008
【図２】
2004302063.tif 000009
【図３】
2004302063.tif 000010
【図４】
2004302063.tif 000011
【図５】
2004302063.tif 000012
【図６】
2004302063.tif 000013
【図７】
2004302063.tif 000014